(57)【特許請求の範囲】
【請求項１】
複数のリレーソケットと、複数のリレーと、システム配線とを有するマルチリレー構成であって、
前記複数のリレーソケット（１）は、互いに隣り合って配列され、取付けレール（４）上へ差し込まれ、前記取付けレール（４）の長手方向に様々な寸法を有することができ、
各リレー（２）は、入力プラグ（２２）を有する入力回路と、出力プラグ（２７、２８、２９）を有する出力回路とを備え、
前記システム配線は前記リレー（２）を制御し、複数のケーブルセクション（５２）と複数のプラグコネクタ（３３）とを有し、前記ケーブルセクション（５２）は前記プラグコネクタ（３３）の間に配置されて当該プラグコネクタと電気的に接続し、前記ケーブルセクション（５２）は前記取付けレール（４）に平行して延在し、
各リレーソケット（１）は、
制御入力接続部（１１）と、
前記制御入力接続部（１１）を対応するリレー（２）の前記入力プラグ（２２）に接続する入力プラグコネクタ（１２）と、
前記対応するリレー（２）の前記出力プラグ（２７、２８、２９）と接続する出力プラグコネクタ（１７、１８、１９）と、
前記出力プラグコネクタ（１７、１８、１９）と接続する出力接続部（１４、１５、１６）と、
付加的な電子部品（３）及び／または前記システム配線の対応するプラグコネクタ（３３）と接続する少なくとも１つの２極の付加的なプラグ接続部（１３）であって、前記制御入力接続部（１１）と並列に配置され、かつ前記入力プラグコネクタ（１２）に接続されるプラグ接続部（１３）とを備え、
前記複数のリレー（２）は、互いに隣り合うリレーのグループとして、関連する入力プラグコネクタ（１２）及び出力プラグコネクタ（１７、１８、１９）に差し込まれ、
各プラグコネクタ（３３）は対応するリレーソケット（１）の前記プラグ接続部（１３）に差し込まれ、
前記複数のケーブルセクション（５２）は前記プラグ接続部（１３）の間をブリッジングすることを特徴とするマルチリレー構成。
【請求項２】
前記システム配線は供給ケーブル（５０）と配電セクション（５３）を有するケーブルハーネス（５）を含み、前記配電セクション（５３）は前記リレーのグループに電力を供給し、該配電セクションは導線対（５４、５５、５６）及びその内部に含まれる前記プラグコネクタ（３３）から構成される、請求項１に記載のマルチリレー構成。
【請求項３】
前記導線対（５４、５５、５６）は、分岐線（３４、３５、３６）を介して前記プラグコネクタ（３３）に接続される、請求項２に記載のマルチリレー構成。
【請求項４】
前記分岐線（３４、３５、３６）は前記付加的な電子部品のハウジング（３０）の内部に収容される、請求項３に記載のマルチリレー構成。
【請求項５】
前記導線対（５４、５５、５６）の星形構成が、多極コネクタ（５１）と前記プラグコネクタ（３３）との間に実装される、請求項２〜４のいずれか１項に記載のマルチリレー構成。
【請求項６】
前記導線対（５４、５５、５６）の直列構成が、多極コネクタ（５１）と前記プラグコネクタ（３３）との間に実装される、請求項２〜４のいずれか１項に記載のマルチリレー構成。
【請求項７】
前記ケーブルハーネス（５）は、事前構成されたフラットリボンケーブルを配電セクション（５３）として備え、該配電セクションは、使用されるプラグコネクタ（３３）ごとに導線引出し部を有する１つの導線クロスオーバー点（５７、５８、５９）を備える、請求項６に記載のマルチリレー構成。
【請求項８】
前記プラグコネクタ（３３）のうちの少なくともいくつかは、ハウジング（３０）及び内部に収容される前記付加的な電子部品（３）に接続される、請求項１〜７のいずれか１項に記載のマルチリレー構成。
【請求項９】
前記付加的な電子部品（３）はサプレッサー回路及び／又は前記リレー（２）の状態インジケーターを含む、請求項１〜８のいずれか１項に記載のマルチリレー構成。
【請求項１０】
前記付加的な電子部品（３）は還流ダイオードを含む、請求項１〜９のいずれか１項に記載のマルチリレー構成。
【請求項１１】
前記付加的な電子部品（３）はＲＣ結合部品を含む、請求項１〜９のいずれか１項に記載のマルチリレー構成。
【請求項１２】
前記付加的な電子部品（３）はタイマー回路を含む、請求項１〜９のいずれか１項に記載のマルチリレー構成。
【請求項１３】
前記システム配線は前記リレーのグループに電力を供給する配電セクション（５３）を有するバスシステム（６）を備え、前記セクションはケーブルセクション（５２）へ分割され、該ケーブルセクション（５２）から分岐線（３４、３５）が接続モジュール（６０）へつながり、該接続モジュールへ前記リレーソケット（１）及び前記リレー（２）が割り当てられる、請求項１に記載のマルチリレー構成。
【発明の詳細な説明】
【技術分野】
【０００１】
本発明は、互いに隣り合って配列されるとともに種々のリレーの収容もするために様々な寸法を有することができる複数のリレーソケットを有する、マルチリレー構成に関する。各リレーソケットは、リレープラグコネクタ、入力接続部及び出力接続部、並びに付加的な電子部品に対する少なくとも２極の付加的なプラグコネクタを有するとともに、取付けレール上に差し込むことができる。
【背景技術】
【０００２】
それぞれの接触リードを有する２点接続部を有する差込み式取付け具であって、プラグ部及びねじ固定具を用いて接続ケーブル又は接続ワイヤをその差込み式取付け具に固定する、差込み式取付け具が特許文献１から既知である。そのような差込み式取付け具は、互いに隣り合ってレール上に固定されることができ、差込み式取付け具間のブリッジングブラケットは中性線接続を確実にする（特許文献２）。
【０００３】
レール上で列に配列されたモジュールは、８極接続ピン（Dr.Hasberg Datentechnik, Elektronik fuer Industrie und Freizeit社）を用いて結合してモジュールグループにすることができる。モジュールグループ間の接続部（システムバス）は、シールドコネクタを有するカテゴリー５ｅのパッチケーブルを用いて達成することができる。
【０００４】
付加的な２極プラグコネクタを有するリレーソケットが既知であり（特許文献３、リレーソケットシリーズ７８８；WAGO社）、例えば視覚ディスプレイを接続する役目を果たす。
【０００５】
そのようなリレーソケットは通常、取付けレール上でグループに列になって配列され、制御装置、配電モジュール及び同様のものに接続されなくてはならない。この目的では、それぞれの応用事例に対する個別の配線を有するケーブルハーネスが実際に使用されている。しかしながら、互いに隣り合って配列されるリレーソケットのグループに対するグループコネクタを有する既成のケーブルも実際に既知であり、これはシステム配線の一タイプをなす。この接続システムの欠点は、グループコネクタとの接続部が適合するように互いに隣り合う等しい幅のリレーソケットを使用する必要があることである。
【先行技術文献】
【特許文献】
【０００６】
【特許文献１】独国特許第３９２３１３７号
【特許文献２】独国特許出願公開第４２３３７２２号
【特許文献３】欧州特許出願公開第１７６０７４５号
【発明の概要】
【発明が解決しようとする課題】
【０００７】
本発明の目的は、互いに隣り合って配列されるリレーソケットのシステム配線であって、リレーソケットがレールの長手方向に様々な寸法を有することができる、システム配線を作成することである。
【課題を解決するための手段】
【０００８】
上述の技術的目的は請求項１の特徴部によって達成される。上記請求項によるとマルチリレー構成が提供される。マルチリレー構成は、互いに隣り合って配列される複数のリレーソケットを備え、リレーソケットは取付けレール上に差し込まれ、それぞれがリレープラグコネクタ、リレーに対する入力接続部及び出力接続部、並びに付加的な電子部品に対する少なくとも２極の付加的なプラグコネクタを有し、レールの長手方向に様々な寸法を有することができる。さらに、マルチリレー構成は、関連するリレープラグコネクタに収まるように寸法決めされる複数のリレーと、リレーを制御装置に電気的に接続するためにリレーソケットの付加的なプラグコネクタに接続するようにそれぞれ設計された複数のケーブルセクション及びプラグコネクタを有するシステム配線とを備える。
【０００９】
本発明は、それぞれのリレーの制御入力部へのアクセスを有する、付加的な電子部品に対する付加的なプラグコネクタが備え付けられる標準的なリレーソケットを利用する。新規のタイプのシステム配線は、それぞれのリレーソケットの付加的なプラグ接続部に接続するようにそれぞれ設計され、したがってリレーを制御装置又は配電モジュール又は同様のものに接続するために、複数のプラグコネクタが備え付けられる。プラグコネクタとプラグコネクタとの間にはケーブルセクションがあり、リレーソケットの中心から中心までの種々の距離のブリッジングを容易にする。このようにして、リレーソケットがレールの長手方向に同一の寸法を有する必要なく、システム配線を互いに隣り合って配列されるリレーソケットのグループに接続することができる。
【００１０】
システム配線は、ケーブルの導線対を介して多極コネクタに接続されるプラグコネクタが内部に含まれる、ケーブルハーネスの形態をとることができる。
【００１１】
多極コネクタと個別のプラグコネクタとの間に導線対の星形構成を実装することができる。しかしながら、多極コネクタとそれぞれのプラグコネクタとの間に導線対の直列構成を実装することも可能である。
【００１２】
ケーブルハーネスにとって特に有利なのは、各コネクタに対する導線引出し部を有する導線クロスオーバー点を含む、事前構成されたフラットリボンケーブルを用いることである。システム配線のケーブルセクションは導線クロスオーバー点の互いからの距離に対応している。
【００１３】
既知のタイプの付加的な電子部品がそれぞれのハウジングの内部に収容されており、ハウジングはリレーソケットの付加的なプラグ接続部と相互作用するコネクタを有する。付加的な電子部品が内部に収容されるそのようなハウジングは、プラグコネクタを有するシステム配線に統合される。それ自体が既知である付加的な電子部品は、必要に応じてリレーに対するサプレッサー回路及び／又は状態インジケーターを含む。付加的な電子部品は、例えば、還流ダイオード、ＲＣ結合部品（RC combination）又はバリスタとすることもできる。
【００１４】
本発明の実施形態は図面を参照して説明される。
【図面の簡単な説明】
【００１５】
【図１】ケーブルハーネスを有するマルチリレー構成の斜視図である。
【図２】リレーソケット、リレー及び付加的な電子部品の概略図である。
【図３】ケーブルハーネスの導線対の星形構成を示す図である。
【図４】ケーブルハーネスの導線対の直列構成を示す図である。
【図５】ケーブルハーネスの直列構成に用いられる事前構成されたケーブルを示す図である。
【図６】バス信号を介して制御することができるマルチリレー構成を示す図である。
【図７】図６によるマルチリレー構成の接続モジュールの概略配列図である。
【発明を実施するための形態】
【００１６】
図１は８つのユニットを有するマルチリレー構成を示し、８つのユニットのそれぞれがリレーソケット１、リレー２及び付加的な電子部品３を備える。リレーソケット１は互いに隣り合って取付けレール４上に差し込まれ、その位置において固定される。リレーソケット、リレー及び付加的な電子部品を備えるそれらのユニットは、ケーブルハーネス５の形態のシステム配線を介して制御されるグループをなす。
【００１７】
図２の概略図は、リレーソケット１、リレー２及び付加的な電子部品３の内部の接続部を示す。リレーソケット、リレー及び付加的な電子部品はハウジング１０、２０及び３０の内部にそれぞれ収容され、それらの設計及び寸法は標準化されている。リレーソケット１は入力接続部１１を備え、入力接続部１１はコネクタ１２を有するワイヤを介してリレー２に、及びコネクタ１３を有する付加的な電子部品３に接続される。リレーソケット１は３つの出力接続部１４、１５、１６を備え、出力接続部１４、１５、１６はコネクタ１７、１８、１９を有するワイヤを介して接続され、コネクタ１７、１８、１９はリレー２の出力回路につながる。リレー２の入力回路及び出力回路は差込みプラグ２２、２７、２８、２９を備え、リレーソケット１の対応するコネクタ１２、１７、１８及び１９とともにプラグ接続部を形成する。ここで電気機械的に示されているリレー２の内部構成は、既知のように電子工学的であることもできる。付加的な電子部品３はリレーソケット１のコネクタ１３と相互作用するプラグコネクタ３３を有する。
【００１８】
ケーブルハーネス５は、供給ケーブル５０、多極コネクタ５１及び配電セクション５３を形成する一連のケーブルセクション５２を備える。ケーブルセクション５２はカーブの形で与えられ、付加的な電子部品３の個別のハウジング３０間に延在してハウジング３０を接続する。より幅広のリレーソケット１の場合、ケーブルセクション５２のカーブはより広く、より幅狭のリレーソケット１の場合、カーブはより狭い。したがって、ケーブルセクション５２の長さを選択することにより、任意のタイプのリレーソケットが、幅広であろうと幅狭であろうと、１つの同じシステム配線によってカバーすることができることを保証することができる。
【００１９】
図３はシステム配線の星形構成を示す。多極コネクタ５１からリレーソケット１ａ、１ｂ、１ｃへつながる導線対５４、５５、５６が示されている。導線対の長さはケーブルセクション５２の長さに応じて変わるが、ケーブルセクション５２は図３に示されてはいない。
【００２０】
図４はシステム配線の直列構成を示す。導線対５４、５５、５６は連続しているが、ケーブルセクション５２の間隔においてタップ接続（tapped）されており、分岐線３４、３５、３６は付加的な電子部品３のそれぞれのハウジング３０内に位置付けられ、それぞれのコネクタ３３へつながる。
【００２１】
図５は配電セクション５３をつくり出す事前構成されたフラットリボンケーブルの使用を示す。導線クロスオーバー点５７、５８、５９が存在し、そこから分岐線３４、３５、３６がプラグコネクタ１３／３３へつながり、したがってリレーソケット１ａ、１ｂ、１ｃへつながる。導線クロスオーバー点５７、５８、５９間の距離は、各ケーブルセクション５２の長さに対応している。導線クロスオーバー点５７、５８、５９はそれぞれ付加的な電子部品のハウジング３０内に収容され、一方、ケーブルセクション５２は、図１に示されているように、このハウジング３０の外部に延在している。
【００２２】
システム配線は、デジタル信号によって働くバスシステム６において用いることができる（図６）。バスシステム６は、入力側にゲートウェイ６６を含み、ケーブルセクション５２を有する配電セクション５３を含み、ケーブルセクション５２の間では分岐線３４、３５が接続モジュール６０へつながる。
【００２３】
分岐線３４、３５は信号ワイヤ６１及び電力供給ワイヤ６２を含み、リレーソケット１９、１６のそれぞれのプラグコネクタ３３へつながる。
【００２４】
図７はハウジング３０内に収容される接続モジュール６０の構成を概略的に示す。関連するリレー２を制御する信号処理装置６３、電力調整装置６４、ドライバー段６５が提供される。プラグコネクタ３３は、図２の場合におけるように、リレーソケット１及び関連するリレー２へつながる。
【００２５】
したがって、本発明は、リレー２を接続部３３を介して制御することができ、接続部３３はさもなければ付加的な電子部品３に対して用いることができる、システム配線を提供する。接続セクション５０及び或る特定の長さの一連のケーブルセクション５２を有する配電セクション５３を有し、様々な幅であることもできるリレーソケット１のグループを動作させることを可能にするタイプのケーブルハーネス５が用いられる。
【図１】
0005843957.tif 000002
【図２】
0005843957.tif 000003
【図３】
0005843957.tif 000004
【図４】
0005843957.tif 000005
【図５】
0005843957.tif 000006
【図６】
0005843957.tif 000007
【図７】
0005843957.tif 000008